(57)【要約】【課題】電子部品及び基板を容易に取り外し可能であるとともに、容易に取り付け可能な空気調和機の室外機、及び、空気調和機を提供する。【解決手段】空気調和機の室外機であって、筐体１４と、筐体１４における背面側Ｄ１ｂに筐体１４と隙間を空けた状態で配置されて冷媒が流通する冷媒配管２と、筐体１４における背面側Ｄ１ｂに設けられ、正面側Ｄ１ａ、背面側Ｄ１ｂ、及び側面側から冷媒配管２を挟持する配管押さえ金１８と、冷媒配管２に対して正面側Ｄ１ａから接触可能に、冷媒配管２に対して着脱可能に設けられた伝熱部材１７と、伝熱部材１７に正面側Ｄ１ａから固定されて、運転の制御を行う電子部品１１と、電子部品１１を正面側Ｄ１ａで支持する基板１２と、を備えている。【選択図】図３
2016138721.tif 000002
【特許請求の範囲】
【請求項１】
冷媒を圧縮し、該冷媒と外気との間で熱交換を行うとともに、背面側から正面側に向かって熱交換後の外気が排出される空気調和機の室外機であって、
筐体と、
前記筐体における前記背面側に前記筐体と隙間を空けた状態で配置されて前記冷媒が流通する冷媒配管と、
前記筐体における前記背面側に設けられ、前記正面側、前記背面側、及び側面側から前記冷媒配管を挟持する配管押さえ部と、
前記冷媒配管に対して前記正面側から接触可能に、前記冷媒配管に対して着脱可能に設けられた伝熱部材と、
前記伝熱部材に前記正面側から固定されて、運転の制御を行う電子部品と、
前記電子部品を前記正面側で支持する基板と、
を備える空気調和機の室外機。
【請求項２】
前記配管押さえ部は、前記筐体に対して着脱可能に、該筐体とは別部材として設けられている請求項１に記載の空気調和機の室外機。
【請求項３】
前記筐体には、前記背面側で開口するスリットが形成され、
前記配管押さえ部は、前記スリットに挿入可能な突起部を有する請求項２に記載の空気調和機の室外機。
【請求項４】
請求項１から３のいずれか一項に記載の室外機と、
前記室外機に接続されて、空調後の空気を室内に供給する室内機と、
を備える空気調和機。
【発明の詳細な説明】
【技術分野】
【０００１】
本発明は、空気調和機における室外機、及び、この室外機を備えた空気調和機に関する。
【背景技術】
【０００２】
従来から室内の空調を行う空気調和機が知られている。この空気調和機は、室内機と室外機とによって構成されている。
【０００３】
室外機には、インバータを構成するアクティブコンバータ、ダイオードモジュール、パワートランジスタ等の発熱性の電子部品が実装された回路基板を有するコントローラが搭載されている。近年、インバータやそのパワー素子類の大容量化等に伴い、コントローラに対する冷却性能の向上が求められているため、コントローラの冷却方式として、冷却フィンを設けて冷却する空冷方式に代え、冷媒を利用して冷却する冷媒冷却方式が採用されている。
【０００４】
特許文献１には、このように冷媒冷却方式を用いた室外機が開示されている。この室外機では、被冷却部である電装品箱の側面の手前側から、冷却部材である冷媒配管が取付けられている。
【先行技術文献】
【特許文献】
【０００５】
【特許文献１】特開２０１１−９９５７７号公報
【発明の概要】
【発明が解決しようとする課題】
【０００６】
しかしながら、特許文献１に記載された構造では、例えばメンテナンス等で、電装品箱から電子部品や基盤を取り出そうとすると、冷媒配管が邪魔となって作業性がよくない。即ち、冷媒配管が変形しないように作業を行う必要があり、非常に手間を要するといった問題がある。
【０００７】
本発明は、上記課題を解決するためになされたものであって、電子部品及び基板を容易に取り外し可能であるとともに、容易に取り付け可能な空気調和機の室外機、及び、空気調和機を提供する。
【課題を解決するための手段】
【０００８】
上記課題を解決するために、本発明は以下の手段を採用する。
本発明の第一の態様に係る空気調和機の室外機は、冷媒を圧縮し、該冷媒と外気との間で熱交換を行うとともに、背面側から正面側に向かって熱交換後の外気が排出される空気調和機の室外機であって、筐体と、前記筐体における前記背面側に前記筐体と隙間を空けた状態で配置されて前記冷媒が流通する冷媒配管と、前記筐体における前記背面側に設けられ、前記正面側、前記背面側、及び側面側から前記冷媒配管を挟持する配管押さえ部と、前記冷媒配管に対して前記正面側から接触可能に、前記冷媒配管に対して着脱可能に設けられた伝熱部材と、前記伝熱部材に前記正面側から固定されて、運転の制御を行う電子部品と、前記電子部品を前記正面側で支持する基板と、を備えている。
【０００９】
このような室外機によると、正面側から背面側に向かって、基板、電子部品、伝熱部材、冷媒配管が並ぶようにして配置されている。そして、基板、電子部品、及び伝熱部材は一体となっているため、例えばメンテナンス時には、正面側からこれら基板、電子部品、及び伝熱部材を筐体から一度に取り外すことができるため、作業性が非常によい。さらに、取り外しの際に冷媒配管が邪魔にならず、冷媒配管の変形や損傷を回避することができる。ここで、冷媒配管は筐体に対して背面側に設けられた配管押さえ部によって挟持されているため、筐体に対する冷媒配管の移動が規制される。よって、正面側から基板、電子部品、及び伝熱部材を取り外した際に、冷媒配管の位置ズレが生じてしまうことを抑制できる。従って、メンテナンス後に再度、基板、電子部品、及び伝熱部材を筐体に取り付ける際には、伝熱部材を冷媒配管に対して所定の位置に接触させることができ、伝熱部材を介して冷媒によって電子部品の放熱が可能となる。
【００１０】
また、本発明の第二の態様に係る空気調和機の室外機では、上記第一の態様において、前記配管押さえ部は、前記筐体に対して着脱可能に、該筐体とは別部材として設けられていてもよい。
【００１１】
このように配管押さえ部を別部材として筐体に設けることで、筐体からの冷媒配管の取り外し、及び取り付けが容易となり、冷媒配管のメンテナンスも可能となる。また、冷媒配管の取り付けの際に、筐体に対する冷媒配管の設置位置を調整することも可能である。
【００１２】
また、本発明の第三の態様に係る空気調和機の室外機では、上記第二の態様において、前記筐体には、前記背面側で開口するスリットが形成され、前記配管押さえ部は、前記スリットに挿入可能な突起部を有していてもよい。
【００１３】
このように、筐体と別部材で設けられた配管押さえ部に突起部が設けられ、この突起部が筐体のスリットに挿入されることで、配管押さえ部の筐体に対する位置決めを行うことができる。従って、筐体の正面側から配管押さえ部を筐体に取り付ける際、配管押さえ部を目視しながら作業を行うことができなくとも、配管押さえ部をスライドさせることでスリットへ突起部を挿入し、配管押さえ部を正確な位置に筐体に仮止めできる。そしてこの状態から、ボルト等を用いて配管押さえ部を筐体に取り付けることができる。従って、冷媒配管の取り付けの作業性を向上することができる。
【００１４】
また、本発明の第四の態様に係る空気調和機では、上記第一から三の態様における室外機と、前記室外機に接続されて、空調後の空気を室内に供給する室内機とを備えている。
【００１５】
このような空気調和機によれば、上記の室外機を備えていることで、例えばメンテナンス時には、正面側から基板、電子部品、及び伝熱部材を筐体から取り外すことができるため、作業性が非常によい。また、正面側から基板、電子部品、及び伝熱部材を取り外した際には、配管押さえ部によって冷媒配管の位置ズレが生じてしまうことを抑制できる。従って、メンテナンス後に再度、基板、電子部品、及び伝熱部材を筐体に取り付ける際には、伝熱部材を冷媒配管に対して所定の位置に接触させることができる。
【発明の効果】
【００１６】
上記の空気調和機の室外機、及び空気調和機によれば、冷媒配管による冷却構造を有していても、電子部品及び基板を容易に取り外し可能であるとともに、容易に取り付け可能となる。
【図面の簡単な説明】
【００１７】
【図１】本発明の実施形態に係る空気調和機の冷凍サイクルを示す図である。
【図２】本発明の実施形態に係る空気調和機の室外機の概略を示す斜視図である。
【図３】本発明の実施形態に係る空気調和機の室外機の側面図を示し、基板、電子部品、伝熱部材、及び冷媒配管が筐体に取り付けられた状態を示す図である。
【図４】本発明の実施形態に係る空気調和機の室外機における配管押さえ金、冷媒配管、及び筐体を示す斜視図である。
【図５】本発明の実施形態に係る空気調和機の室外機における配管押さえ金、冷媒配管、及び筐体を示す斜視図であって、図４のＸ矢視図である。
【図６】本発明の実施形態に係る空気調和機の室外機から、基板、電子部品、及び伝熱部材を取り外す様子を示す側面図である。
【発明を実施するための形態】
【００１８】
以下、本発明の実施形態に係る空気調和機１について説明する。
（空気調和機の全体構成）
図１に示すように、本実施形態の空気調和機１は、冷媒Ｒの流通する冷媒配管２と、互いに冷媒配管２によって接続されることで、冷媒Ｒが循環する閉サイクルの冷凍サイクルを構成する圧縮機３、四方切換弁４、室外熱交換器５、電子膨張弁６（ＥＥＶ）、室内熱交換器７、及びアキュームレータ８と、冷凍サイクルの運転制御を行うコントローラ９とを備えている。
【００１９】
圧縮機３は、気体の冷媒Ｒを圧縮する。
【００２０】
室外熱交換器５は、冷媒Ｒと室外の空気Ａ（外気）との間で熱交換を行う。この室外熱交換器５の近傍には、室外の空気Ａを室外熱交換器５に送風する室外ファン２０が設けられている。
【００２１】
室内熱交換器７は、冷媒Ｒと室内の空気Ａとの間で熱交換を行う。この室内熱交換器７の近傍には、室内の空気Ａを室外熱交換器５に送風する室内ファン２１が設けられている。
【００２２】
四方切換弁４は、圧縮機３と室外熱交換器５、及び、圧縮機３と室内熱交換器７との間に配置され、冷媒Ｒの冷凍サイクル内での循環方向を切り換える。
【００２３】
電子膨張弁６は、室外熱交換器５と室内熱交換器７との間に設けられ、冷媒Ｒを断熱膨張させる。
【００２４】
アキュームレータ８は、四方切換弁４と圧縮機３の入口との間に配置され、冷媒Ｒを気液分離し、気体のみを圧縮機３に供給する。
【００２５】
コントローラ９は、例えば、圧縮機３の回転数を制御するインバータを搭載するとともに、運転モード（暖房運転か、または冷房運転）に応じて四方切換弁４を切り換え、さらに室外ファン２０及び室内ファン２１の回転数、電子膨張弁６の開度等を制御する機能を備えている。
【００２６】
即ち、コントローラ９は、圧縮機３の回転数を制御するインバータを構成するアクティブコンバータ、ダイオードモジュール、パワートランジスタ等の冷凍サイクルの運転の制御を行う各種の電子部品１１と、電子部品１１を固定して支持する基板（回路基板）１２とを備えている。
【００２７】
室内熱交換器７、室内ファン２１、冷媒配管２の一部は室内機１ａの筐体（不図示）に収容されている。室内機１ａは、空調後の空気Ａを室内に供給する。
【００２８】
圧縮機３、四方切換弁４、室外熱交換器５、室外ファン２０、電子膨張弁６（ＥＥＶ）、アキュームレータ８、コントローラ９、及び、冷媒配管２の一部が、図２に示す室外機１ｂの筐体１４に収容されている。室外機１ｂでは、冷媒Ｒと外気（室外の空気Ａ）との間で熱交換を行うとともに、奥行方向Ｄ１の背面側Ｄ１ｂから正面側Ｄ１ａに向かって熱交換後の空気Ａが排出される。
【００２９】
（室外機の構成）
即ち、室外機１ｂは、上記の圧縮機３、四方切換弁４、室外熱交換器５、室外ファン２０、電子膨張弁６（ＥＥＶ）、アキュームレータ８、コントローラ９における基板１２及び電子部品１１、及び冷媒配管２の一部と、これらを収容する筐体１４とを備えている。さらに、室外機１ｂは冷媒配管２とコントローラ９の電子部品１１との間に介在された伝熱部材１７と、冷媒配管２を筐体１４に固定する配管押さえ金１８（配管押さえ部）とを備えている。
【００３０】
筐体１４は、外形が直方体形状をなすとともに、内部に圧縮機３、四方切換弁４、室外熱交換器５、室外ファン２０、電子膨張弁６（ＥＥＶ）、アキュームレータ８、コントローラ９、及び冷媒配管２を固定する仕切り（不図示）を有している。
以下、筐体１４とは、コントローラ９が取付けられた仕切りの部分であるとして、説明を行う。
【００３１】
図３に示すように、この筐体１４には、コントローラ９の電子部品１１が配置される位置に対応する位置で、正面側Ｄ１ａと背面側Ｄ１ｂとを連通する開口１４ａが形成されている。
【００３２】
冷媒配管２は、冷凍サイクル内でコントローラ９が設けられた位置で、コントローラ９の電子部品１１に対して背面側Ｄ１ｂ、かつ、筐体１４の背面側Ｄ１ｂに、筐体１４と隙間を空けた状態で配置されている。
【００３３】
また、図４、５に示すように、本実施形態では冷媒配管２は、冷媒配管２は下方側Ｄ２ｂから上方側Ｄ２ａに向かって延びた後、湾曲して再び下方側Ｄ２ｂに向かって延びている。即ち、冷媒配管２は、上下方向Ｄ２に平行に延びる第一部分４１及び第二部分４２と、これらを接続する湾曲部分４３とを有している。
【００３４】
伝熱部材１７は、アルミニウム等からなる金属ブロックであって、冷媒配管２に対して正面側Ｄ１ａから接触可能に、冷媒配管２に対して着脱可能に設けられている。
【００３５】
本実施形態では、図３に示すように、伝熱部材１７は、正面側Ｄ１ａから背面側Ｄ１ｂに向かう奥行方向Ｄ１、及び上下方向Ｄ２に直交する幅方向Ｄ３（水平方向）の一方側Ｄ３ａで、奥行方向Ｄ１の背面側Ｄ１ｂに向かって延びる第一突部３１と、第一突部３１における正面側Ｄ１ａの部分から幅方向Ｄ３の他方側Ｄ３ｂに延びる第二突部３２とを有している。即ち上下方向Ｄ２から見て、伝熱部材１７は、略Ｌ字状をなしている。
【００３６】
第一突部３１には、その背面側Ｄ１ｂを向く面に、正面側Ｄ１ａに向かって凹む第一凹部３１ａが上下方向Ｄ２に沿って形成されている。この第一凹部３１ａの内面は、冷媒配管２の第一部分４１の外周面の約半周分が接触可能に、上下方向Ｄ２から見て半円弧状をなしている。
【００３７】
第二突部３２には、第一突部３１と同様に、その背面側Ｄ１ｂを向く面に、正面側Ｄ１ａに向かって凹む第二凹部３２ａが上下方向Ｄ２に沿って形成されている。この第二凹部３２ａの内面は、冷媒配管２の第二部分４２の外周面の約半周分が接触可能に、上下方向Ｄ２から見て半円弧状をなしている。
【００３８】
伝熱部材１７は、筐体１４の開口１４ａを通じて筐体１４の背面側Ｄ１ｂに配置され、第一凹部３１ａの内面及び第二凹部３２ａの内面に冷媒配管２が接触する。これにより、冷媒配管２では、幅方向Ｄ３の一方側Ｄ３ａに配置される第一部分４１が、第二部分４２に対して背面側Ｄ１ｂに位置し、冷媒配管２は幅方向Ｄ３に対して傾斜して設けられている。
【００３９】
コントローラ９における電子部品１１は、上述したように、空気調和機１の運転の制御を行うものであり、伝熱部材１７に正面側Ｄ１ａからボルト（不図示）等によって固定されている。
【００４０】
基板１２は、電子部品１１を正面側Ｄ１ａで支持するように、電子部品１１を固定している。なお、図示は省略するが、この基板１２には電子部品１１を含む上述した各種の電子部品が支持されている。
【００４１】
（配管押さえ金の構成）
配管押さえ金１８は、筐体１４における背面側Ｄ１ｂに設けられ、かつ、正面側Ｄ１ａ、背面側Ｄ１ｂ、及び側面側から冷媒配管２を挟持して、筐体１４に対する冷媒配管２の相対移動を規制する。また、配管押さえ金１８は、筐体１４に対して着脱可能に、筐体１４と別部材として設けられている。
ここで、側面側とは、幅方向Ｄ３の一方側Ｄ３ａと他方側Ｄ３ｂとを示す。
【００４２】
より詳しくは、配管押さえ金１８は、図３から図５に示すように、冷媒配管２を背面側Ｄ１ｂから囲む本体部５１と、本体部５１と一体に設けられて冷媒配管２を正面側Ｄ１ａ及び側面側から囲むクリップ部５２と、本体部５１と一体に設けられて筐体１４に取り付けられる取付部５３とを有し、例えば板金加工によって形成される。
【００４３】
本体部５１は、筐体１４に取り付けられた状態で、冷媒配管２の傾斜に沿って配置された傾斜板部６０と、傾斜板部６０に連続して幅方向Ｄ３に延びる第一屈曲板部６１と、傾斜板部６０に連続して奥行方向Ｄ１の正面側Ｄ１ａに延びる第二屈曲板部６２と、第一屈曲板部６１に連続して奥行方向Ｄ１の正面側Ｄ１ａに延びる第三屈曲板部６３と、第二屈曲板部６２に連続して筐体１４に沿って幅方向Ｄ３に延びる第四屈曲板部６４とを有している。
【００４４】
傾斜板部６０は、冷媒配管２の傾斜に合わせて、幅方向Ｄ３の他方側Ｄ３ｂから一方側Ｄ３ａに向かって背面側Ｄ１ｂから正面側Ｄ１ａに傾斜する板状をなしている。電子部品１１及び基板１２が筐体１４に取り付けられている状態では、この傾斜板部６０に冷媒配管２の外周面が正面側Ｄ１ａから接触している。
【００４５】
第一屈曲板部６１は、傾斜板部６０における幅方向Ｄ３の一方側Ｄ３ａの端縁から屈曲するように幅方向Ｄ３の一方側Ｄ３ａに延び、傾斜板部６０に連続する板状をなしている。
【００４６】
第二屈曲板部６２は、傾斜板部６０における幅方向Ｄ３の他方側Ｄ３ｂの端縁から屈曲するように奥行方向Ｄ１に開口１４ａに向かって正面側Ｄ１ａに延びている。
【００４７】
第三屈曲板部６３は、第一屈曲板部６１における幅方向Ｄ３の一方側Ｄ３ａの端縁から屈曲するように奥行方向Ｄ１の正面側Ｄ１ａに延びている。
【００４８】
ここで、筐体１４には、開口１４ａにおける幅方向Ｄ３の一方側Ｄ３ａの端縁から背面側Ｄ１ｂに向かって延びる支持板部１５が形成されている。この支持板部１５は、第三屈曲板部６３に幅方向Ｄ３の他方側Ｄ３ｂで第三屈曲板部６３と隙間を空けて対向しているとともに、第一屈曲板部６１に正面側Ｄ１ａから接触して第一屈曲板部６１を支持している。
【００４９】
また、筐体１４には、図４に示すように支持板部１５と開口１４ａの端縁との間には補強リブ１６が上下方向Ｄ２に互いに間隔をあけて設けられている。
【００５０】
そして第三屈曲板部６３は、図４に示すように、支持板部１５よりも上方側Ｄ２ａに突出するような寸法に設けられて、隙間Ｓが形成されている。さらに、第三屈曲板部６３は、支持板部１５よりも奥行方向Ｄ１の寸法が小さくなっている。そして、第三屈曲板部６３には、正面側Ｄ１ａの端縁から背面側Ｄ１ｂに向かって矩形状に切り欠かれた切欠部６３ａが形成されている。この切欠部６３ａは、上下方向Ｄ２に互いに間隔をあけて二箇所形成されている。
【００５１】
第四屈曲板部６４は、第二屈曲板部６２の正面側Ｄ１ａの端縁から屈曲するように上方側Ｄ２ａに延びる板状をなしている。この第四屈曲板部６４は、筐体１４の表面に正面側Ｄ１ａから接触するとともに、開口１４ａの縁よりも上方側Ｄ２ａまで延びている。
【００５２】
クリップ部５２は、伝熱部材１７の上方側Ｄ２ａに配置されて本体部５１の上部に設けられている。
このクリップ部５２は、冷媒配管２の第一部分４１の一方側Ｄ３ａに配置された第一側板部７１と、冷媒配管２の第二部分４２の他方側Ｄ３ｂに配置された第二側板部７２と、冷媒配管２の正面側Ｄ１ａに配置されて、これら第一側板部７１と第二側板部７２とを接続する正面板部７３とを有している。
【００５３】
第一側板部７１は、本体部５１の第一屈曲板部６１における幅方向Ｄ３の中途位置から正面側Ｄ１ａに向かって支持板部１５及び第三屈曲板部６３と平行に延びている。伝熱部材１７が冷媒配管２に取り付けられて接触している状態では、この第一側板部７１は、冷媒配管２とは非接触な状態となっている。
【００５４】
正面板部７３は、第一側板部７１における正面側Ｄ１ａの端縁から屈曲するように、他方側Ｄ３ｂに向かって傾斜板部６０と平行に延びている。伝熱部材１７が冷媒配管２に取り付けられて接触している状態では、この正面板部７３は、冷媒配管２とは非接触な状態となっている。
【００５５】
第二側板部７２は、正面板部７３における他方側Ｄ３ｂの端縁から屈曲するように、背面側Ｄ１ｂに向かって、傾斜板部６０と直交する方向に傾斜板部６０とは接触しない位置まで延びている。伝熱部材１７が冷媒配管２に取り付けられて接触している状態では、この第二側板部７２は、冷媒配管２とは非接触な状態となっている。
【００５６】
取付部５３は、第三屈曲板部６３に設けられた第一取付片８１（突起部）と、第四屈曲板部６４に設けられた第二取付片８２及び第三取付片８３とを有している。
【００５７】
第一取付片８１は、第三屈曲板部６３の各々の切欠部６３ａに形成されている。各々の第一取付片８１は、切欠部６３ａにおける上側の内面から下方側Ｄ２ｂに、支持部に沿って突出する矩形の板状部材である。この第一取付片８１は、支持板部１５から一方側Ｄ３ａに膨らむとともに、奥行方向Ｄ１に延びるスリット１５ｂが上方側Ｄ２ａに形成された支持板部ポケット１５ａに、スリット１５ｂから挿入可能となっている。
【００５８】
第二取付片８２は、第四屈曲板部６４から筐体１４の表面に沿って他方側Ｄ３ｂに突出するように設けられた板状部材である。この第二取付片８２は、上下方向Ｄ２に間隔をあけて二箇所設けられている。第二取付片８２と筐体１４とを貫通するようにして、背面側Ｄ１ｂからボルト９０が挿通されており、第二取付片８２と筐体１４とが固定されるようになっている。
【００５９】
第三取付片８３は、二つの第二取付片８２同士の間で、第四屈曲板部６４から筐体１４の表面に沿って他方側Ｄ３ｂに突出する第一突板部８５と、筐体１４の表面に沿って第一突板部８５から下方側Ｄ２ｂに屈曲するように延びる第二突板部８６（突起部）とを有している。そして、この第二突板部８６が、筐体１４の表面から背面側Ｄ１ｂに膨らむとともに、幅方向Ｄ３に延びるスリット１４ｃが上方側Ｄ２ａに形成された筐体ポケット１４ｂに、スリット１４ｃから挿入可能となっている。
【００６０】
このように、配管押さえ金１８が取付部５３によって筐体１４に取り付けられた状態では、本体部５１及びクリップ部５２によって、冷媒配管２が正面側Ｄ１ａ、背面側Ｄ１ｂ、及び側面側から挟持可能になっている。なお、挟持とは、冷媒配管２と配管押さえ金１８とが完全に相対移動しない場合のみを示すものではなく、多少の相対移動も含む概念である。
【００６１】
（空気調和機の作用効果）
以上説明した本実施形態の空気調和機１によると、室外機１ｂでは、正面側Ｄ１ａから背面側Ｄ１ｂに向かって、基板１２、電子部品１１、伝熱部材１７、冷媒配管２が並ぶようにして配置されている。そして、基板１２、電子部品１１、及び伝熱部材１７は互いに固定されて一体となっているため、例えば図６に示すように、メンテナンス時には、正面側Ｄ１ａからこれら基板１２、電子部品１１、及び伝熱部材１７を筐体１４から取り外すことができる。さらに、取り外しの際に冷媒配管２が邪魔にならず、冷媒配管２の変形や損傷を回避することができる。
【００６２】
ここで、冷媒配管２は筐体１４に対して背面側Ｄ１ｂに設けられた配管押さえ金１８によって挟持されている。即ち、配管押さえ金１８の本体部５１とクリップ部５２とによって、背面側Ｄ１ｂ、正面側Ｄ１ａ、両側面側から冷媒配管２が挟み込まれている。このため、筐体１４に対する冷媒配管２の移動が規制される。よって、メンテナンス等のため、正面側Ｄ１ａから基板１２、電子部品１１、及び伝熱部材１７を取り外した際に、冷媒配管２の位置ズレが生じてしまうことを抑制できる。
【００６３】
従って、メンテナンス後に再度、基板１２、電子部品１１、及び伝熱部材１７を筐体１４に取り付ける際には、伝熱部材１７を冷媒配管２に対して所定の位置、即ち第一凹部３１ａと第二凹部３２ａとに冷媒配管２が入り込むようにして接触させることができる。さらにこの際、冷媒配管２が伝熱部材１７によって押し付けられたとしても、傾斜板部６０によって背面側Ｄ１ｂから冷媒配管２の動きを規制でき、伝熱部材１７を冷媒配管２に対して所定の位置に接触させることができ、伝熱部材１７を介して冷媒によって電子部品の放熱が可能となる。
【００６４】
よって、本実施形態の空気調和機１では、冷媒配管２による冷却構造を有していても、電子部品１１及び基板１２を容易に取り外し可能であるとともに、容易に取り付け可能となり、メンテナンス時の作業性が非常によい。
【００６５】
さらに、配管押さえ金１８を別部材として筐体１４に設けることで、筐体１４からの冷媒配管２の取り外し、及び取り付けが容易となり、冷媒配管２のメンテナンスも可能となる。また、冷媒配管２の取り付けの際に、筐体１４に対する冷媒配管２の設置位置を調整することも可能である。
【００６６】
また、配管押さえ金１８の第三屈曲板部６３には第一取付片８１が設けられて、この第一取付片８１が支持板部ポケット１５ａに上方側Ｄ２ａから挿入される。また第四屈曲板部６４には第二突板部８６が設けられて、この第二突板部８６が筐体ポケット１４ｂに上方側Ｄ２ａから挿入される。従って、配管押さえ金１８の筐体１４に対する位置決めを行うことができる。
【００６７】
また、筐体１４の正面側Ｄ１ａから配管押さえ金１８を筐体１４に取り付ける際、筐体１４によって視界が遮られるため、目視しながら作業を行うことができない場合がある。このような場合でも、配管押さえ金１８を上方側Ｄ２ａからスライドさせることで、第一取付片８１を支持板部ポケット１５ａに挿入し、第二突板部８６を筐体ポケット１４ｂに挿入することで、配管押さえ金１８を正確な位置に筐体１４に仮止めできる。そしてこの状態から、正面側Ｄ１ａからボルト９０を用いて配管押さえ金１８を筐体１４に取り付けることができる。従って、冷媒配管２の取り付けの作業性を向上することができる。
【００６８】
以上、本発明の実施形態について詳細を説明したが、本発明の技術的思想を逸脱しない範囲内において、多少の設計変更も可能である。
例えば、配管押さえ金１８は、筐体１４と別部材でなくともよく、筐体１４の一部として形成されていてもよい。
【００６９】
また、配管押さえ金１８の第一取付片８１と第二突起部の形成方向、及び形成位置は上述の場合に限定されず、即ち、上方側Ｄ２ａ以外の方向からスライドさせて筐体１４に取り付けるようになっていてもよい。
【００７０】
また、配管押さえ金１８における第一取付片８１と第二突起部、及び、支持板部ポケット１５ａと筐体ポケット１４ｂは必ずしも設けられなくともよい。即ち、スライドさせて配管押さえ金１８を筐体１４に取り付けるものでなくともよく、ボルトのみによって取り付けるものであってもよい。
【符号の説明】
【００７１】
１…空気調和機  
１ａ…室内機
１ｂ…室外機
２…冷媒配管  
３…圧縮機  
４…四方切換弁  
５…室外熱交換器  
６…電子膨張弁  
７…室内熱交換器  
８…アキュームレータ  
９…コントローラ  
１１…電子部品  
１２…基板  
１４…筐体  
１４ａ…開口  
１４ｂ…筐体ポケット  
１４ｃ…スリット  
１５…支持板部  
１５ａ…支持板部ポケット  
１５ｂ…スリット  
１６…補強リブ  
１７…伝熱部材  
１８…配管押さえ金（配管押さえ部）  
２０…室外ファン  
２１…室内ファン  
３１…第一突部  
３１ａ…第一凹部  
３２…第二突部  
３２ａ…第二凹部  
４１…第一部分  
４２…第二部分  
４３…湾曲部分  
５１…本体部  
５２…クリップ部  
５３…取付部  
６０…傾斜板部  
６１…第一屈曲板部  
６２…第二屈曲板部  
６３…第三屈曲板部  
６３ａ…切欠部  
６４…第四屈曲板部  
７１…第一側板部  
７２…第二側板部  
７３…正面板部  
８１…第一取付片（突起部）  
８２…第二取付片  
８３…第三取付片  
８５…第一突板部  
８６…第二突板部（突起部）  
９０…ボルト  
Ｒ…冷媒  
Ａ…空気  
Ｓ…隙間  
Ｄ１…奥行方向  
Ｄ１ａ…正面側  
Ｄ１ｂ…背面側  
Ｄ２…上下方向  
Ｄ２ａ…上方側  
Ｄ２ｂ…下方側  
Ｄ３…幅方向  
Ｄ３ａ…一方側  
Ｄ３ｂ…他方側  
【図１】
2016138721.tif 000003
【図２】
2016138721.tif 000004
【図３】
2016138721.tif 000005
【図４】
2016138721.tif 000006
【図５】
2016138721.tif 000007
【図６】
2016138721.tif 000008